(57)【要約】      （修正有）【課題】デザインを自由かつ多彩に表現することができ、しかも使用感に優れたベルト用バックルおよびベルトを提供する。【解決手段】ベルト用バックル１は、平行な一対の側辺はり部材２と、側辺はり部材２の基部側に設けられた側辺はり部材２に垂直な揺動部材支持棒３と、揺動部材支持棒３により側辺はり部材２に対して回転自在に設けられた揺動部材４とを有し、揺動部材支持棒３と反対側の端部において側辺はり部材２の間に開口部５が形成されている。【選択図】図１
0003199928.tif 000002
【実用新案登録請求の範囲】
【請求項１】
平行な一対の側辺はり部材と、側辺はり部材の基部側に設けられた側辺はり部材に垂直な揺動部材支持棒と、揺動部材支持棒により側辺はり部材に対して回転自在に設けられた揺動部材とを有し、揺動部材支持棒と反対側の端部において側辺はり部材の間に開口部が形成されているベルト用バックル。
【請求項２】
平行な一対の側辺はり部材と、側辺はり部材の基部側に設けられた側辺はり部材に垂直な揺動部材支持棒と、側辺はり部材同士を結合する架橋部材と、側辺はり部材の先端部より内側に突き出た突出部材と、揺動部材支持棒により側辺はり部材に対して回転自在に設けられた揺動部材とを有し、揺動部材支持棒と反対側の端部において突出部材の間に開口部が形成されているベルト用バックル。
【請求項３】
請求項１または請求項２に記載のベルト用バックルと、ベルト用バックルに接続された帯状部材と、帯状部材中に設けられたヒンジ部材を有し、帯状部材中に他の部分よりも厚さが大きい背当て部が形成されている被覆用ベルト。
【考案の詳細な説明】
【技術分野】
【０００１】
この考案は、被服用ベルトや時計用ベルトなどベルトおよびそのためのバックルに関する。
【背景技術】
【０００２】
身体に着用するベルトは、その着脱を容易にするために、バックルを備えている。ベルトの本体部である帯状部材の先端部付近には複数の穴が設けられ、バックルにはその穴に係合する揺動部材が設けられている。ほとんどのバックルは、揺動部材を支持する棒材と２本の平行な側辺のはり材、それに側辺はり材の先端に設けられた垂直なはり材により、長方形あるいはＤ字の形状など閉じた環状の枠体となっている。特許文献１や特許文献２などに記載されるバックルもこのような形状である。
【先行技術文献】
【特許文献】
【０００３】
【特許文献１】特開２０１１−２３９８０７号
【特許文献２】特開２０１４−３０７０４号
【考案の概要】
【考案が解決しようとする課題】
【０００４】
身体に着用するベルトにおいて、バックルは単にベルトの開閉のための部材でなく、装飾品としての美観も求められる。腕時計においては、時間の確認を行うときにバックルも袖の外に表れる。また、ズボン用のベルトにおいては、バックルは使用者の体の正面かつ中央部に表れ、最も目立つことになる。
【０００５】
しかし、従来のベルト用バックルは、主要構成部である枠体が長方形またはＤ字形状という閉じた環状に限定されており、形状的な変化を求めることができない。したがって、どのバックルも同じような単調なデザインである。
【０００６】
この考案は、これまでにない斬新な形状を含め、デザインを自由かつ多彩に表現することができ、しかも使用感に優れたベルト用バックルおよびベルトを提供することを目的とする。
【課題を解決するための手段】
【０００７】
上述の課題を解決するため、この考案のベルト用バックルは、平行な一対の側辺はり部材と、側辺はり部材の基部側に設けられた側辺はり部材に垂直な揺動部材支持棒と、揺動部材支持棒に回転自在に設けられた揺動部材とを有し、揺動部材支持棒と反対側の端部において側辺はり部材の間に開口部が形成されている。これに加えて、さらに、側辺はり部材同士を結合する架橋部材と、側辺はり部材の先端部より内側に突き出た突出部材とを設けてもよい。
【０００８】
さらに、この考案の被服用ベルトは上記のベルト用バックルと、ベルト用バックルに接続された帯状部材と、帯状部材中に設けられたヒンジ部材を有し、帯状部材中に他の部分よりも厚さが大きい背当て部が形成されている。
【考案の効果】
【０００９】
この考案のベルト用バックルおよびベルトは先端部に開口部を有し、これまでの環状のバックルとは全く異なる美観を有し、しかも容易にベルトを着脱することができる。
【図面の簡単な説明】
【００１０】
【図１】ベルト用バックルの第１の例を示す平面図である。
【図２】同底面図である。
【図３】同正面図である。
【図４】同背面図である。
【図５】同左側面図である。
【図６】同斜視図である。
【図７】ベルト用バックルの第２の例を示す平面図である。
【図８】同底面図である。
【図９】同正面図である。
【図１０】同背面図である。
【図１１】同左側面図である。
【図１２】同斜視図である。
【図１３】ベルトを示す平面図である。
【考案を実施するための形態】
【００１１】
この考案を実施するための形態について図面に基づいて説明する。図１はベルト用バックルの第１の例を示す平面図、図２は同底面図、図３は同正面図、図４は同背面図、図５は同左側面図、図６は同斜視図である。右側面図は左側面図と対称にあらわれるため省略している。
【００１２】
バックル１は、硬質の素材で作られており、本例ではステンレス鋼で作られているが、これ以外にも鋼材や合金などの金属、あるはカーボンなど他の素材を用いてもよく、複数の素材の組合せでもよい。左右には平行な一対の側辺はり部材２が設けられている。この一対の側辺はり部材２の間で基部側には、側辺はり部材２に垂直な揺動部材支持棒３が設けられている。そして、揺動部材支持棒３を介して揺動部材４が側辺はり部材２に対して回転自在に取り付けられている。
【００１３】
この考案のバックルでは、揺動部材支持棒３と反対側の端部において側辺はり部材２の間に開口部５が形成されている。このような開口部５は、ベルト穴に揺動部材を挿入して止める形式のバックルにおいてはこれまで存在しない。この空間の存在により、これまでのバックルには見られない新しい形状若しくは形態を得ることができる。本例においては、側辺はり部材２の先端部より内側に突き出た突出部材６が設けられているが、左右の突出部材６の先端は離れており、やはり開口部５が形成されている。
【００１４】
この例において、揺動部材４の先端は幅の広い帯板状になっている。そのため、ベルト穴も丸穴ではなく、揺動部材４の先端に対応した細長いスリットになる。さらに、本例では、揺動部材４の中間部には垂直な翼状部材７が取り付けられている。この翼状部材７の幅は一対の側辺はり部材２同士の間隔に対応しており、揺動部材４が降りたときに翼状部材７の先端部が、側辺はり部材の上面に当たるようになっている。本例では揺動部材４の先端が突出部材６に当たることはないが、翼状部材７によって揺動部材４の回転が規制され、それ以上は下がらないようになっている。
【００１５】
また、平行な一対の側辺はり部材２の間には、側辺はり部材同士を結合する架橋部材８が設けられている。この架橋部材８は側辺はり部材２の先端部にはなく、基部側あるいは中間部に設けられる。この考案のバックルでは側辺はり部材の先端部に開口部があるが、この架橋部材８によって側辺はり部材同士が接合されるので、強固な枠体が形成される。
【００１６】
側辺はり部材２の基部側端部には、内向きに円筒状の突起部材９が設けられている。この突起部材９はベルトの先端部の押えとして作用する。ベルトの帯体の後端部は、揺動部材支持棒３に縫製等で取り付けられる。一方、帯体の先端部側には揺動部材４の先端が挿入されるべき穴があけられている。この穴に揺動部材４の先端を通してベルトを締めたとき、その穴よりも先の部分が余るが、その余った部分を突起部材９の下に通すことにより、ベルトの先端部を固定することができる。通常のベルトでは、帯体に環状の部材が取り付けられ、これによりベルトの先端部を固定しているが、この例ではそのような環状部材を省略することができる。
【００１７】
この考案のバックルはさまざまなベルトに対して使用することができる。この例のバックルもズボン用ベルトや腕時計用ベルト、あるいは、かばん類の開閉用のベルトなど様々な用途に適用できるが、小さくしかも美しい形状にすることができるため、例えば腕時計用ベルトのバックルとして使用するのに特に適している。
【００１８】
さらに、この考案のバックルの第２の例について説明する。図７はベルト用バックルの第２の例を示す平面図、図８は同底面図、図９は同正面図、図１０は同背面図、図１１は同左側面図、図１２は同斜視図である。右側面図は左側面図と対称にあらわれるため省略している。第１の例と共通する事項については詳述を避け、この例に特有な事項を特に説明する。
【００１９】
この例のバックル１も、平行な一対の側辺はり部材２と、側辺はり部材の基部側に設けられた側辺はり部材２に垂直な揺動部材支持棒３と、揺動部材支持棒３により側辺はり部材に対して回転自在に設けられた揺動部材４とを有し、揺動部材支持棒３と反対側の端部において側辺はり部材２の間に開口部５が形成されている。また、本例においても、側辺はり部材２の先端には、内向きに突出部材６が設けられていて、この突出部材６の間に開口部５が形成されている。さらに、側辺はり部材２の基部側端部には、内向きに板状の突起部材９が設けられている。
【００２０】
この例において、２本の揺動部材４が平行に設けられている。したがって、帯体の先端部には、係合するための穴が２列にあけられることになる（図１３の符号１２）。また、２本の揺動部材４は先端が下がった状態では、側辺はり部材２の先端の突起部材６の上に当たるようになっている。
【００２１】
平行な一対の側辺はり部材２の間には、側辺はり部材同士を結合する架橋部材８が設けられている。この例では架橋部材８は側辺はり部材２の中間部に設けられている。
【００２２】
この例のバックルもズボン用ベルトや腕時計用ベルト、あるいは、かばん類の開閉用のベルトなどさまざまなベルトに使用できるが、通常のバックルよりも大きく目立つため、例えばズボン用ベルトのバックルとして使用するのに特に適している。
【００２３】
つぎに、この考案のバックルを有するベルトの例について説明する。図１３はベルトの例を示す平面図である。バックル１は第２の例として図７〜１２に示したものであるが、第１の例で示したものであってもよい。帯体１１の一端部が縫製等によってバックル１の揺動部材支持棒に取り付けられている。
【００２４】
また、他端部には複数のベルト穴１２があけられている。そして、帯体は途中で分割されており、この分割部にはヒンジ１３が設けられている。ヒンジ１３はステンレス鋼などの金属製であり、バックル１と同じ材質であることが好ましい。このヒンジ１３によってベルトは自由に折り曲げることができる。ヒンジ１３は任意の位置に設けることができるが、本例では先端部に近い位置であり、ベルト穴１２に続いて設けられる。したがって、このベルト１０を装着したとき、ヒンジ１３は体の前側に表れる。このようなヒンジはこれまでのズボン用ベルトには用いられてこなかった。このベルトは特徴のあるバックル１とヒンジ１３により、新規な美観を有する。
【００２５】
さらに、帯体１１の中央部付近には、他の部分より厚くなった背当て部１４が設けられている。ベルトを着用したときに、この部分が背中に当たるようになっているが、その部分が補強され、より丈夫になっている。
【符号の説明】
【００２６】
１．バックル
２．側辺はり部材
３．揺動部材支持棒
４．揺動部材
５．開口部
６．突起部材
７．翼状部材
８．架橋部材
９．突起部材
１０．ベルト
１１．帯体
１２．ベルト穴
１３．ヒンジ
１４．背当て部
【図１】
0003199928.tif 000003
【図２】
0003199928.tif 000004
【図３】
0003199928.tif 000005
【図４】
0003199928.tif 000006
【図５】
0003199928.tif 000007
【図６】
0003199928.tif 000008
【図７】
0003199928.tif 000009
【図８】
0003199928.tif 000010
【図９】
0003199928.tif 000011
【図１０】
0003199928.tif 000012
【図１１】
0003199928.tif 000013
【図１２】
0003199928.tif 000014
【図１３】
0003199928.tif 000015